(57)【要約】【課題】サイズや形状が異なるパネル状被塗装物を容易かつ確実に固定することができるとともに、固定作業後の塗装作業を迅速に効率良く行うことができる塗装用ハンガースタンドを提供する。【解決手段】アングル鋼製の３本の脚部を有する起立可能な脚立１の中央にパイプ鋼製の支柱２を固定する。この支柱２に、その内径よりも細い直径のパイプ鋼製の主軸３を上下に伸縮自在かつ水平方向に回動自在に嵌合して立設する。主軸３の頂部、すなわち上端には、その中心を支点として傾動可能に軸支されるハンガーアーム４を、固定用ハンドル７が一体的に付加されたボルト及びナットで締結して任意の傾斜角度で固定できるようにする。ハンガーアーム４に、被塗装物１０のビス孔又はボルト孔１１に引っ掛けて係止する鉤状フック８を有する固定ホルダーとなるスリーブスロット６を設ける。【選択図】  図２
0003233178.tif 000002
【実用新案登録請求の範囲】
【請求項１】
起立可能な脚立を有する支柱に係合され、上下に伸縮自在かつ水平方向に回動自在に立設された主軸と、この主軸の上端にその中心を支点として傾動可能に軸支されるとともに、少なくとも一方の端部が伸縮自在にされたハンガーアームと、前記主軸の中間部分に当該主軸上を上下移動自在かつ水平方向に回動自在に係合された少なくとも２本の被塗装物固定アームとからなることを特徴とする塗装用ハンガースタンド。
【請求項２】
ハンガーアーム又は被塗装物固定アームに、被塗装物のビス孔又はボルト孔に引っ掛けて係止する鉤状フックを有する被塗装物の固定ホルダーを備えたことを特徴とする請求項１記載の塗装用ハンガースタンド。
【請求項３】
鉤状フックはビス孔又はボルト孔に対して自由方向に遊嵌可能で、かつ固定ホルダーはハンガーアーム又は被塗装物固定アーム上の任意位置に移動可能なスロットを備えたことを特徴とする請求項２記載の塗装用ハンガースタンド。
【考案の詳細な説明】
【技術分野】
【０００１】
本考案は、例えば自動車外装の構成部品であるボンネット、フェンダー、ドア、バンパー等のパネル状被塗装物のスプレー塗装、とくに修理塗装に適した塗装用のハンガースタンドに関するものである。
【背景技術】
【０００２】
従来、自動車のドア、ボンネット、フェンダー等の塗装に使用する塗装用治具として、門型のフレームの横桟に複数のフックを取り付け、これらのフックによって被塗装物を吊り下げるハンガー式のものや、被塗装物を水平に載置する架台式のスタンドがある。しかしながら、これら従来の治具は、被塗装物の裏面の塗装に際し、作業者が塗装スプレーを持って裏面側に移動したり、被塗装物の表面の乾燥後に上下に反転させたりする必要があり、作業効率の悪いものであった。
【０００３】
そこで、例えば、特許文献１に記載された塗装用スタンドのように、自動車のボンネット、フェンダー、ドア、バンパー等の被塗装物を起立状態及び転倒状態のいずれでも保持することのできる第１の保持装置と、被塗装物に対する係合手段を有する支持枠によって被塗装物を水平面内で回動自在に保持する第２の保持装置とを具備し、被塗装物の表裏面の塗装を容易に行うことができるようにしたものや、バンパーワークの裏面に当接する複数のワーク保持部と、一端を本体に、他端をワーク保持部に接続する複数の調整機構を有し、調整機構はバンパーワークの横方向又は縦方向に伸縮可能で、車種が異なってもそのバンパーワークの裏面の形状に対応して接触し得るようにした汎用性のある塗装治具が提案されている（特許文献２参照。）。
【０００４】
他にも、ワークに吹き付け塗装を施すときの塗着効率を向上させるため、複数のワーク保持部がワークを保持した状態で回転軸を中心に回転するときに生じる回転方向の気流に同方向の気流を付加するような気流調整部を備えたもの（特許文献３参照。）。１台の塗装治具によって、２個ワークを掛けることが可能で、且つ一方のワークを他方のワークの下方位置に収納してコンパクト化が可能な可変式複数掛け塗装治具が提案されている（特許文献４参照。）。
【先行技術文献】
【特許文献】
【０００５】
【特許文献１】実開平５−８５４７１号公報
【特許文献２】特開２００８−２０７１２９号公報
【特許文献３】特許第６６８３１１４号公報
【特許文献４】特開２００４−１５４６１７号公報
【考案の概要】
【考案が解決しようとする課題】
【０００６】
しかしながら、自動車の構成部品であるボンネット、フェンダー、ドア、バンパー等のパネル状被塗装物は、車種や年式によってサイズや形状が異なることは無論のこと、車種や年式が同じであっても修理塗装する個体ごとに微妙に変形しており、確実に固定した状態に保持することは困難であった。
本考案は上記のような従来技術の課題に鑑み、サイズや形状が異なるパネル状被塗装物を容易かつ確実に固定することができるとともに、固定作業後の塗装作業を迅速に効率良く行うことができる塗装用ハンガースタンドを提供することを課題としている。
【課題を解決するための手段】
【０００７】
このため本考案の塗装用ハンガースタンドは次のように構成を採用した。すなわち、起立可能な脚立を有する支柱に係合され、上下に伸縮自在かつ水平方向に回動自在に立設された主軸と、この主軸の上端にその中心を支点として傾動可能に軸支されるとともに、少なくとも一方の端部が伸縮自在にされたハンガーアームと、前記主軸の中間部分に当該主軸上を上下移動自在かつ水平方向に回動自在に係合された少なくとも２本の被塗装物固定アームとからなることを第１の特徴とする。また、ハンガーアーム又は被塗装物固定アームに、被塗装物のビス孔又はボルト孔に引っ掛けて係止する鉤状フックを有する被塗装物の固定ホルダーを備えたことを第２の特徴とする。さらに、鉤状フックはビス孔又はボルト孔に対して自由方向に遊嵌可能で、かつ固定ホルダーはハンガーアーム又は被塗装物固定アーム上の任意位置に移動可能なスロットを備えたことを第３の特徴とする。
【考案の効果】
【０００８】
本考案によれば、下記の優れた効果がある。
（１）サイズや形状が異なる被塗装物を容易かつ確実に固定することができる。
（２）作業者が被塗装物を固定した後、その背面側に移動することなく迅速に塗装作業を行うことができる。
（３）脚立は折り畳み可能、主軸、ハンガーアーム及び固定アーム等はバラバラに分解可能とされているので、コンパクトになり運搬や収納に際し便利である。
【図面の簡単な説明】
【０００９】
【図１】本考案に係る塗装用ハンガースタンドの一実施例を示す斜視図である。
【図２】本考案に係る塗装用ハンガースタンドにパネル状の被塗装物を取り付けた状態を示す斜視図である。
【図３】パネル状の被塗装物を反転させた状態を示す斜視図である。
【図４】スリーブスロット（固定ホルダー）の要部拡大斜視図である。
【考案を実施するための形態】
【００１０】
以下、本考案の実施の形態を図面に示す実施例に基づいて説明する。
【実施例】
【００１１】
図１乃至図２に示すように、本考案に係る塗装用ハンガースタンドは、アングル鋼製の３本の脚部を有する起立可能な脚立１の中央にパイプ鋼製の支柱２が固定され、この支柱２に、その内径よりも細い直径のパイプ鋼製の主軸３が上下に伸縮自在かつ水平方向に回動自在に嵌合して立設されている。この主軸３の上端部分は扁平に潰して抜け止め加工が施されており、主軸３の支柱２からの落下防止が図られている。
【００１２】
主軸３の頂部、すなわち上端には、その中心を支点として傾動可能に軸支されるハンガーアーム４が、固定用ハンドル７が一体的に付加されたボルト及びナットで締結して任意の傾斜角度で固定できるようにされている。また、ハンガーアーム４には、固定保持される被塗装物１０のビス孔又はボルト孔１１に引っ掛けて係止する鉤状フック８を有する固定ホルダーとなるスリーブスロット６が、ハンガーアーム４上の任意位置に移動可能に複数個嵌装されている。
【００１３】
ここで、ハンガーアーム４は断面矩形の角パイプ鋼製で、スリーブスロット６はハンガーアーム４よりも一回り大きな角パイプ鋼製とされており、スリーブスロット６のハンガーアーム４に対する供回りが防止され、確実に固定できるようにされている。
【００１４】
図４にも示すように、スリーブスロット６の一端部上面にはその長手方向に配置される長ナット８ａと、スリーブスロット６の短長手方向に長ナット８ａに直交して配置される長ナット８ｂが固着され、必要に応じて長ナット８ａ又は長ナット８ｂに鉤状フック８を螺合による取り付け取り外しができるようにされている。また、鉤状フック８は、全周方向に回動自在に短ナット８ｃを締め込むことで固定できるようにされており、鉤状フック８を対応させるビス孔又はボルト孔１１に対して自由方向に遊嵌可能であり、被塗装物１０の個体ごとに微妙に位置が異なるビス孔又はボルト孔１１に対して正確かつ確実に係合させることができる。
【００１５】
また、主軸３の中間部分にはこの主軸３上を上下移動自在かつ水平方向に回動自在に係合された２本の被塗装物固定アーム５が取り付けられている。被塗装物固定アーム５もハンガーアーム４と同様に角パイプ鋼製で、主軸３が挿通する円筒ソケット９に固着された長尺なスリーブスロット６に嵌装されて出没可能（すなわち、伸縮自在）に固定できるようにされている。被塗装物固定アーム５の先端は略Ｔバー型に形成され、その両端には防振用のクッション５ａが取り付けられており、被塗装物１０の表面に当接して打傷やすり傷の発生を防止する。
【００１６】
本実施例では、２本の被塗装物固定アーム５が各々主軸３に対して水平方向に３６０度回動可能で、左右に展開して被塗装物１０の凹凸形状に合致対応する角度で位置決め固定して被塗装物１０の動揺を防止する。尚、被塗装物固定アーム５は少なくとも２本、すなわち２点で被塗装物１０に当接していれば所期の固定効果が十分得られるが、被塗装物の種別や形状に応じて増設するものでもよいことは言うまでもない。  
【００１７】
この塗装用ハンガースタンドは、例えば、図２に示すように、パネル状の被塗装物１０の裏面側にセットし、主軸３を中心に水平方向に１８０度回動させることで、図３に示すように、そのまま背面側、すなわち被塗装物１０の表面を塗装処理することができる。したがって、作業者は被塗装物１０をセット作業した位置から反対側に移動することなく速やかに塗装作業を行うことができる。つまり、作業内容に応じて、被塗装物１０を反転あるいは作業者が要求する最も好適な位置に固定できるように回動し、前処理、仕上げ等を含む一切の塗装処理、他にも、パテ付け、パテ研ぎ、サーフェイス処理、磨き仕上げ作業を効率良く行うことができる。
【００１８】
なお、本実施例の脚立１は折り畳み可能、主軸３、ハンガーアーム４及び固定アーム５、スリーブスロット６等はバラバラに分解可能とされているので、コンパクトになり運搬や収納に際し便利である。また、本考案は上記実施例の形態に限定されるものではなく、実用新案登録請求の範囲に記載された範囲、実施形態の範囲で種々の変形例、例えば、金属以外への材質の変更、また、部材の組み合わせが可能であり、これらの変形例、組み合わせも権利範囲に含むものである。
【産業上の利用可能性】
【００１９】
本考案の塗装用ハンガースタンドの構成は、自動車用部品の塗装の他にも、種々の塗装対象物、すなわち、塗装処理を行う各種産業分野においても有益である。とくに、規格が統一された安定した物品よりも、毀損して変形した物品の修理塗装を行う際に便利である。
【符号の説明】
【００２０】
１    脚立
２    支柱
３    主軸
４    ハンガーアーム
５    固定アーム
５ａ  クッション
６    スリーブスロット（固定ホルダー）
７    締結用ハンドル
８    鉤状フック
８ａ  長ナット
８ｂ  長ナット
８ｃ  短ナット
９    円筒ソケット
１０  パネル状被塗装物
１１  ビス孔はボルト孔
【図１】
0003233178.tif 000003
【図２】
0003233178.tif 000004
【図３】
0003233178.tif 000005
【図４】
0003233178.tif 000006